(57)【要約】【課題】ユーザを混乱させない表示を行うオーディオ再生システムを実現する。【解決手段】音場補正処理において、スピーカが接続されていないと判断されたスピーカチャンネルのスピーカ設定情報（音量レベル、スピーカ距離、周波数特性等）を表示部１０２に表示する際には、スピーカ設定情報がとりうる値以外で、かつ接続されていないことが分かるメッセージをスピーカ設定情報として表示させる。また、そのスピーカ設定情報を変更する動作をユーザが行ったときには、設定情報としてとりうる値の最小値を画面に表示させる。【選択図】図１
2007282053.tif 000002
【特許請求の範囲】
【請求項１】
複数のスピーカに接続することが可能な複数のスピーカチャンネルを有するオーディオ再生装置において、
前記オーディオ再生装置は、
前記スピーカチャンネルに接続されているスピーカから音声を再生する再生手段と、
所定の聴取位置で前記再生手段によって再生された音声によって形成される音場が、所定の音場になるように、前記スピーカチャンネルに接続されているスピーカの有無を特定し、前記スピーカチャンネルに接続されている各スピーカ用の再生環境を設定する自動音場設定手段と、
前記スピーカチャンネルに接続されている複数のスピーカの設定情報を表示するスピーカ情報表示手段と、
前記自動音場設定手段により、スピーカが接続されていないと特定されたスピーカチャンネルのスピーカ設定情報を、前記スピーカ情報表示手段に、該スピーカ設定情報として取りうる値以外で、かつ未接続を表す情報として表示する、未接続表示手段を備える、
ことを特徴とするオーディオ再生装置。
【請求項２】
前記スピーカチャンネルに接続されているスピーカの設定情報を変更するスピーカ情報変更手段をさらに備え、
前記未接続表示手段により、スピーカが未接続であることが表示されているスピーカチャンネルにスピーカを接続し、前記接続したスピーカの設定情報を前記スピーカ情報変更手段で変更したとき、該設定情報の値を該オーディオ再生装置が設定できる最小の値に変更するスピーカ設定情報変更手段をさらに備える、
ことを特徴とする、請求項１に記載のオーディオ再生装置。
【請求項３】
前記未接続表示手段により、スピーカが未接続であることが表示されているスピーカチャンネルにスピーカを接続したときに、該スピーカの設定情報の値を初期化する、スピーカ設定情報初期化手段をさらに備える、
ことを特徴とする請求項１に記載のオーディオ再生装置。
【請求項４】
前記未接続表示手段により、スピーカが未接続であることが表示されているスピーカチャンネルにスピーカを接続したときに、全ての前記スピーカチャンネルに接続されているスピーカの設定情報の値を初期化する、スピーカ設定情報初期化手段をさらに備える、
ことを特徴とする請求項１に記載のオーディオ再生装置。
【請求項５】
前記スピーカチャンネルに接続されているスピーカを少なくとも１つ、該スピーカチャンネルから取り外したときに、全ての前記スピーカチャンネルに接続されているスピーカの設定情報の値を初期化する、スピーカ設定情報初期化手段をさらに備える、
ことを特徴とする請求項１に記載のオーディオ再生装置。
【発明の詳細な説明】
【技術分野】
【０００１】
本発明は、オーディオ再生装置に関する。
【背景技術】
【０００２】
ユーザの聴取位置で最適な音場になるように、接続されている複数のスピーカの、周波数特性や音量レベル、距離などをスピーカー毎に調整してくれる音場補正機能を有する、オーディオ再生装置がある（例えば特許文献１）。
【０００３】
このようなオーディオ再生装置で、自動音場補正をする時には、オーディオ再生装置は、複数のスピーカよりそれぞれテスト信号を発生させ、その信号を聴取位置に配置されたマイクで収音することにより、スピーカがオーディオ再生装置に接続されているかいないかの判定を行うと共に、接続されているスピーカに対して、音量レベル、音質、位相などの各種調整を行う。
【特許文献１】特開２００２−３３０５００号公報
【発明の開示】
【発明が解決しようとする課題】
【０００４】
また、チャンネル毎にスピーカの接続有無の設定を行うことができないオーディオ再生装置がある。このようなオーディオ再生装置では、スピーカの設定は例えば２チャンネル接続、５．１チャンネル接続と固定されているものとして行われる。よって、このようなオーディオ再生装置において、自動音場補正を行い、その結果を表示させた場合には、接続が固定されているために、全てのスピーカが接続されているものとして表示されてしまう。
【０００５】
したがって、自動音場補正でオーディオ再生装置に接続されていないと判断されたスピーカのスピーカ設定情報は、最小値（例えば音量レベルでは０ｄＢ、スピーカ距離では０．０ｍ）が表示されることになる。よって、この表示からでは、そのスピーカは接続がされていないのか、接続されているのか、測定ミスなのかを判断するのは困難であったという問題を有する。
【０００６】
本発明は上記問題に鑑みてなされたものであり、スピーカの設定情報の結果を表示させるときに、ユーザーを混乱させない適切な表示を行うオーディオ再生装置を提供することを目的とする。
【課題を解決するための手段】
【０００７】
上記目的を達成するために、第１の観点に係るオーディオ再生装置は、
複数のスピーカに接続することが可能な複数のスピーカチャンネルを有するオーディオ再生装置において、
前記オーディオ再生装置は、
前記スピーカチャンネルに接続されているスピーカから音声を再生する再生手段と、
所定の聴取位置で前記再生手段によって再生された音声によって形成される音場が、所定の音場になるように、前記スピーカチャンネルに接続されているスピーカの有無を特定し、前記スピーカチャンネルに接続されている各スピーカ用の再生環境を設定する自動音場設定手段と、
前記スピーカチャンネルに接続されている複数のスピーカの設定情報を表示するスピーカ情報表示手段と、
前記自動音場設定手段により、スピーカが接続されていないと特定されたスピーカチャンネルのスピーカ設定情報を、前記スピーカ情報表示手段に、該スピーカ設定情報として取りうる値以外で、かつ未接続を表す情報として表示する、未接続表示手段を備える、
ことを特徴とする。
【０００８】
例えば、上記オーディオ再生装置は、
前記スピーカチャンネルに接続されているスピーカの設定情報を変更するスピーカ情報変更手段をさらに備え、
前記未接続表示手段により、スピーカが未接続であることが表示されているスピーカチャンネルにスピーカを接続し、前記接続したスピーカの設定情報を前記スピーカ情報変更手段で変更したとき、該設定情報の値を該オーディオ再生装置が設定できる最小の値に変更するスピーカ設定情報変更手段をさらに備えてもよい。
【０００９】
例えば、上記オーディオ再生装置は、
前記未接続表示手段により、スピーカが未接続であることが表示されているスピーカチャンネルにスピーカを接続したときに、該スピーカの設定情報の値を初期化する、スピーカ設定情報初期化手段をさらに備えてもよい。
【００１０】
例えば、上記オーディオ再生装置は、
前記未接続表示手段により、スピーカが未接続であることが表示されているスピーカチャンネルにスピーカを接続したときに、全ての前記スピーカチャンネルに接続されているスピーカの設定情報の値を初期化する、スピーカ設定情報初期化手段をさらに備えてもよい。
【００１１】
例えば、上記オーディオ再生装置は、
前記スピーカチャンネルに接続されているスピーカを少なくとも１つ、該スピーカチャンネルから取り外したときに、全ての前記スピーカチャンネルに接続されているスピーカの設定情報の値を初期化する、スピーカ設定情報初期化手段をさらに備えてもよい。
【発明の効果】
【００１２】
本発明によれば、オーディオ再生装置に接続されているスピーカの設定情報の結果を表示させるときに、ユーザーを混乱させない適切な表示を行うオーディオ再生装置を提供することが可能となる。
【発明を実施するための最良の形態】
【００１３】
以下、本発明の実施形態に係るオーディオ再生装置を図面を参照して説明する。
本発明の実施形態に係るオーディオ再生装置１０は、５．１チャンネルの音声出力に対応しており、図２に示すように６つのスピーカＳＰ１〜ＳＰ６が接続されている。オーディオ再生装置１０は、５．１チャンネルのマルチコンテンツを再生する場合、スピーカＳＰ１〜ＳＰ６からそれぞれ別々に制御されたオーディオ信号を出力し、それにより臨場感のある音響の聴取が可能な音響再生環境がユーザに提供される。スピーカＳＰ１〜ＳＰ６はそれぞれフロントレフトスピーカ（ＦＬ）、サブウーハ（ＳＷ）、センタスピーカ（Ｃ）、フロントライトスピーカ（ＦＲ）、レフトサラウンドスピーカ（ＬＳ）と、ライトサラウンドスピーカ（ＲＳ）となる。
また、オーディオ再生装置１０は、スピーカ毎に接続の有無を設定することができず、スピーカの接続は５．１チャンネル接続しかできないものとする。
【００１４】
また、オーディオ再生装置１０は、後述する音場補正処理機能を有する。音場補正を行う際には、図２に示すように、テスト信号を受信するためのマイクＭＩＣが必要に応じてオーディオ再生装置１０に接続される。マイクＭＩＣはユーザの聴取位置に配置される。
【００１５】
オーディオ再生装置１０は、図１に示すように、操作部１０１と、表示部１０２と、ＲＡＭ（Random Access Memory)１０３と、ＲＯＭ(Read Only Memory)１０４と、通信部１０５と、制御部１０６と、マイクアンプ部１０７と、ＤＳＰ（Digital Signal Processor）１０８と、スピーカアンプ部１０９と、テスト信号発生部１１０と、から構成される。
【００１６】
操作部１０１は、リモートコントローラなどの操作入力キーを用いたユーザの操作信号の入力を受け付け、入力された操作信号に対応するデータを制御部１０６に供給する。
【００１７】
表示部１０２は、液晶表示パネル等から構成され、制御部１０６から供給される表示用データに従って、オーディオ再生装置１０の動作状況を示すメッセージ、図表等を表示する。
【００１８】
ＲＡＭ１０３は、制御部１０６が処理を行うためのワークスペースとなる。
また、ＲＡＭ１０３には、スピーカＳＰ１〜ＳＰ６の動作パラメータが格納されている。各スピーカＳＰ１〜ＳＰ６には、この動作パラメータに従った動作特性で、オーディオ信号が供給される。
【００１９】
図３に動作パラメータの一例を示す。この例では、スピーカ毎に、動作パラメータとして、接続の有無、音量レベル（ボリューム）、スピーカ距離、スピーカサイズ、周波数特定が設定される。接続の有無は、該当するスピーカが接続されているか否かを示す。音量レベル（ボリューム）は、各スピーカに供給するオーディオ信号の音量レベルを示す。換言すれば、各オーディオ信号の増幅率を示す信号でもある。スピーカ距離は、各スピーカの出力タイミングを調整するための内部遅延時間を制御するためのパラメータである。スピーカサイズは、大・中・小など、スピーカのサイズを指定するパラメータである。周波数特定は、所謂イコライザーに相当し、どの周波数帯域を強調し、どの周波数帯域を弱めるか等を設定するデータである。
【００２０】
ＲＯＭ１０４は、制御部１０６が処理を行うためのプログラムを記憶する。具体的な処理の内容については後述する。
【００２１】
通信部１０５は、インターネット等のネットワークに接続され、図示せぬコンテンツサーバ等からコンテンツ情報（オーディオ情報）を取得する。
【００２２】
制御部１０６は、オーディオ再生装置１０全体の動作を制御する。制御部１０６は、ＲＯＭ１０４に格納されているプログラムに従って動作する。制御部１０６が実行する動作の詳細については、後述する。
【００２３】
マイクアンプ部１０７は、マイクアンプ部１０７に接続されたマイクＭＩＣからの収音信号をＡ／Ｄ変換し、増幅する。そして、マイクアンプ部１０７は、ディジタル増幅した収音信号を後述するＤＳＰ１０８に送信する。
【００２４】
ＤＳＰ１０８は、ＤＳＰ１０８に供給される音声信号に対して、種々の処理を行う。ＤＳＰ１０８は、例えば、マルチチャンネル方式にエンコードされた音声信号をデコードして、各音声チャンネルの音声信号に分ける処理を行う。また、ＤＳＰ１０８は、後述する音場補正処理において、音量レベルの調整、スピーカとリスニングポジションとの間の距離間の調整、周波数特性の調整など種々の調整処理を行う。
【００２５】
スピーカアンプ部１０９は、ＤＳＰ１０８から入力された音声データをＤ／Ａ変換によりアナログ信号に変換して増幅する。そして、スピーカアンプ部１０９は、アナログ増幅した信号から音声信号を抽出してスピーカに供給する。
スピーカアンプ部１０９には、６つのスピーカＳＰ１〜ＳＰ６が接続される。
【００２６】
テスト信号発生部１１０は、制御部１０６からの制御に応じて、後述する音場補正処理の際、テスト信号をＤＳＰ１０８に供給する。
【００２７】
次に、上記構成のオーディオ再生装置１０が、接続されているスピーカＳＰ１〜ＳＰ６の設定値（動作パラメータ値）を調整する処理（音場補正処理）について簡単に説明する。  
まず、ユーザは、リモコン等の操作によりオーディオ再生装置１０に音場補正処理を開始することを指示する。操作部１０１はこの指示を検出し、制御部１０６に通知する。制御部１０６は、この指示に応答して、まず繋がれているスピーカから順次にテスト信号を放音し、その信号を、聴取位置に配置されているマイクＭＩＣから取得する。そして、取得した放音信号により、各スピーカがオーディオ再生装置１０に接続されているかいないかの有無を判断し、それをＲＡＭ１０３に格納されている動作パラメータに記録すると共に、制御部１０６は、聴取位置に配置されているマイクＭＩＣから取得した放音信号を解析して、聴取位置で最適な音場が形成されるように、音量レベル、スピーカ距離、スピーカサイズ等を設定し、それを動作パラメータとして記録する。
【００２８】
以上により、聴取位置で最適な音場が形成され、ユーザは臨場感のあるサウンド効果を得ることが可能となる。
【００２９】
次に、上記構成のオーディオ再生装置１０で、ユーザがスピーカの設定情報を表示する動作について説明する。
前提として、このオーディオ再生装置は５．１チャンネルのスピーカ接続しかできず、個別にスピーカの接続有無を設定することはできないものとする。また、音場補正処理が既に実行されており、その補正により、図７（ａ）のように調整パラメータ（スピーカ有無、スピーカ距離、音量レベル、周波数特性）が設定されているものとする。
【００３０】
まず、ユーザはリモコンの例えばスピーカ情報表示ボタンを操作すること等により、スピーカ情報表示を指示する。
【００３１】
この指示に応答して、オーディオ再生装置１０の制御部１０６は、表示部１０２に図４（ａ）に示すＧＵＩ（Graphical User Interface）画面を表示する。ユーザは、表示に従って、適宜必要な処理を選択する。
【００３２】
ここでは、ユーザにより、音量レベル表示が選択されたものとする。すると、表示部１０２には、図５（ａ）に示すような、スピーカの種類と音量レベルを示すＧＵＩ画面が表示される。
【００３３】
ユーザは、この画面において、リモコンの左右キーを操作して、スピーカ情報を表示するスピーカを選択する。制御部１０６は、入力内容に応じて、スピーカの種類と、その動作パラメータから取得した音量レベルとを表示部１０２に表示させる。また、制御部１０６は、動作パラメータでスピーカ無が設定されているスピーカには、音量レベル表示欄に、スピーカ接続されているときには取りうることができない表示である"No Speaker"のメッセージを表示部１０２に表示させる。
【００３４】
例えば、制御部１０６は、ＳＰ１（フロントレフトＦＬ）が選択された時には、その動作パラメータ（図７（ａ））に設定されている音量レベルの値、＋３ｄＢを取得し、これを画面に表示する（図５（ａ））。また、制御部１０６は、ＳＰ２（サブウーファＳＷ）が選択された時には、その動作パラメータ（図７（ａ））で、ＳＰ２はオーディオ再生装置１０に接続されていないと判断されているために、メッセージ"No Speaker"を表示部１０２に出力される（図５（ｂ））。
【００３５】
以上、説明したように、音場補正処理により、オーディオ再生装置１０に接続されていないと判断されたスピーカのスピーカ情報（この例では音量レベル）を表示する場合、接続がされていないことを示す情報がスピーカ情報として表示される。したがって、ユーザが混乱をきたすことがなく、分かりやすい表示を実現することができる。
【００３６】
次に、上記構成のオーディオ再生装置１０の、ユーザがスピーカの設定情報を変更する動作について説明する。
【００３７】
前提としては、先ほど説明したスピーカ情報の表示の動作と同じであり、オーディオ再生装置１０は個別にスピーカの接続有無を設定することはできない。また、後述した音場補正処理が既に実行されており、その補正により、図７（ａ）のように調整パラメータ（スピーカ有無、スピーカ距離、音量レベル、周波数特性）が設定されているものとする。
【００３８】
まず、ユーザはリモコンの例えばスピーカ情報設定ボタンを操作すること等により、スピーカ情報の設定を指示する。
【００３９】
この指示に応答して、オーディオ再生装置１０の制御部１０６は、表示部１０２に図４（ｂ）に示すＧＵＩ（Graphical User Interface）画面を表示する。ユーザは、表示に従って、適宜必要な処理を選択する。
【００４０】
ここでは、ユーザにより、音量レベル変更が選択されたものとする。すると、表示部１０２には、図６（ａ）に示すような、スピーカの種類と音量レベルを示すＧＵＩ画面が表示される。
【００４１】
ユーザは、この画面において、リモコンの左右キーを操作して、音量レベルを変更するスピーカを選択する。この操作によって、画面上に表示されるスピーカの種類と音量レベルの表示内容を取得する方法は、先ほど説明したスピーカ情報の表示の場合と同じである。
【００４２】
また、ユーザはこの画面において、リモコンの上下キーを操作して、音量レベルを変更することができる。
具体的には、図６（ａ）のようにセンタースピーカＣの音量レベルが＋５ｄＢと表示されている場合においては、リモコンの上キーを１回押下する度に＋６ｄＢ、＋７ｄＢと１ｄＢずつ増加し、下キーを１回押下する度に＋４ｄＢ、＋３ｄＢと１ｄＢずつ減少するように表示変更される。そして、リモコンの決定キーを操作することで、画面に表示されているとおりに、スピーカの動作パラメータが変更される。
【００４３】
なお、音量レベルの最大値である＋１０ｄＢが表示されている場合は、上キーを操作しても音量レベルの表示は＋１０ｄＢのままとなる。同様に、音量レベルの最小値である−１０ｄＢが表示されている場合は、下キーを操作しても音量レベルの表示は−１０ｄＢのままである。
【００４４】
また、図６（ｂ）に示すようにＳＰ２（サブウーファＳＷ）のスピーカ音量レベル変更画面を表示する場合には、ＳＰ２の動作パラメータ（図７（ａ））で、ＳＰ２はオーディオ再生装置１０に接続されていないと設定されているために音量レベルは"No Speaker"が表示される。
ここで、接続無が設定されているスピーカＳＰ２（サブウーファＳＷ）に対応するスピーカチャンネルに、ユーザがスピーカＳＰ２を接続し、リモコンの上下キーを操作して音量レベルを変更しようとした場合の動作について説明する。
この場合、制御部１０６は、スピーカＳＰ２に対応するスピーカチャンネルに新たにスピーカＳＰ２が接続されたことを検出し、それに伴って音量レベルに０ｄＢを表示させる（図６（ｃ））。そして、制御部１０６は、その後、リモコンの上下キーを操作する毎に、音量レベルの表示を上述したように±１ｄＢずつ変化させる。そして、リモコンの決定キーを操作することで、画面に表示されているとおりに、制御部１０６は、スピーカの動作パラメータを変更する。
【００４５】
以上、説明したように、オーディオ再生装置１０に接続されていないスピーカに対してスピーカを接続し、スピーカの情報（ここでは音量レベル）を変更する操作をした場合、スピーカが接続されていないことを示す表示から、スピーカの情報（ここでは音量レベル）を示す値の最小値（ここでは０ｄＢ）を示す表示が最初に表示され、その後の変更処理を行うことが可能となる。
【００４６】
次に、上記構成のオーディオ再生装置１０の、ユーザがスピーカの接続を変更させた場合の他の動作について説明する。
【００４７】
具体的には、オーディオ再生装置１０に接続されているスピーカＳＰ１〜ＳＰ６の動作パラメータが図７（ａ）のような状態であるオーディオ再生装置において、接続無が設定されているスピーカＳＰ２（サブウーファＳＷ）に対応するスピーカチャンネルに、ユーザーがスピーカＳＰ２を接続した場合を例にする。
この場合、新たにスピーカが接続されたことを示す信号（スピーカ情報変更情報）がそのスピーカチャンネルから制御部１０６に送信される。制御部１０６は、その信号を受信すると、全てのスピーカの動作パラメータをリセットして、工場出荷状態の動作パラメータ（図７（ｂ））に初期化する。なお、スピーカがオーディオ再生装置１０から外された場合も、同様にそのスピーカチャンネルから、スピーカ情報変更情報が制御部１０６に送信され、全てのスピーカの動作パラメータは初期化される。
【００４８】
以上の動作の場合、ユーザはスピーカがオーディオ再生装置１０から接続または外された場合に、全てのスピーカのスピーカ情報を初期化することができるため、ユーザにとって便利である。
【００４９】
なお、本発明は、上記実施の形態で示したものに限定されず、様々な変形および応用が可能である。
【００５０】
例えば、本実施の形態では、スピーカの設定を表示・変更する例として、スピーカの音量レベルの表示・変更について説明した。しかし、これに限るものでなく、スピーカ距離や周波数特性等も、同様にして表示・変更してもよい。
【００５１】
また、本実施の形態では、ユーザがスピーカ情報表示ボタンを操作することにより、スピーカ情報を表示すると説明したが、これに限るものでなく、スピーカの未接続を検出した際に自動的にスピーカ情報を表示するようにしてもよい。
【００５２】
また、本実施の形態では、スピーカが接続されていないスピーカチャンネルのスピーカ設定情報を表示するときには、そのことを示すメッセージ"No Speaker"を表示するとした。しかし、これに限るものでなく、例えば"No Connect"等のメッセージを表示させてもよく、あるいは接続されていないことを記号的に図示してもよく、ユーザにスピーカが接続されていないことを確実に報知することができるものであればよい。。
【００５３】
また、本実施の形態では、スピーカが接続されていないスピーカチャンネルにスピーカを接続すると、全てのスピーカの動作パラメータが初期化されると説明したが、接続されたスピーカの動作パラメータのみを初期化してもよい。
【００５４】
また、本実施の形態では、オーディオ再生装置は５．１チャンネルに対応しているものとして説明したが、これに限るものでなく、７．１チャンネルや２チャンネル（ステレオ）に対応しているオーディオ再生装置であっても同様である。
【図面の簡単な説明】
【００５５】
【図１】本発明の実施形態に係るオーディオ再生装置の構成を示す図である。
【図２】図１に示すオーディオ再生装置がスピーカ、マイクと共に部屋に配置されているときの構成を示す図である。
【図３】図１に示すオーディオ再生装置のＲＡＭに格納されるスピーカの動作パラメータの例である。
【図４】スピーカ情報表示操作（ａ）と、スピーカ情報変更操作（ｂ）の表示例を示す図である。
【図５】スピーカ音量レベル表示操作の表示例を示す図である。
【図６】スピーカ音量レベル変更操作の表示例を示す図である。
【図７】スピーカ接続を変更する前のスピーカの動作パラメータ（ａ）と、変更した後の動作パラメータ（ｂ）の例を示す図である。
【符号の説明】
【００５６】
１０    オーディオ再生装置  
１０１  操作部
１０２  表示部
１０３  ＲＡＭ
１０４  ＲＯＭ
１０５  通信部
１０６  制御部
１０７  マイクアンプ部
１０８  ＤＳＰ
１０９  スピーカアンプ部
１１０  テスト信号発生部
ＭＩＣ  マイク
ＳＰ１〜ＳＰ６  スピーカ
【図１】
2007282053.tif 000003
【図２】
2007282053.tif 000004
【図３】
2007282053.tif 000005
【図４】
2007282053.tif 000006
【図５】
2007282053.tif 000007
【図６】
2007282053.tif 000008
【図７】
2007282053.tif 000009